(57)【要約】      （修正有）【課題】省エネ法第７５条及び第７６条関連の規定による所定の書式に則りつつも、被調査対象建築物の調査結果の内容を一般的にも容易に把握させる冊子を提供する。【解決手段】建築物調査結果報告書用印刷物は、省エネ法により定められた書式に基づくＡ４サイズの調査結果報告書を含む建築物調査結果報告書用印刷物であって、表紙部及び裏表紙部と、維持保全状況が所定の判断基準となるべき事項に適合していることを証明する適合書を表示する適合書表示欄と、建築物調査結果報告書を表示する建築物調査結果報告書表示欄とを設ける。さらに、登録された建築物調査機関の登録証を表示する登録証表示欄と、建築物調査結果報告書に関する調査内容を定期報告するための定期報告書表示欄と、調査結果に関連する写真及び調査項目を表示する写真・調査項目表示欄と、被調査対象建築物の設計図面を表示する設計図面表示欄とを備える。【選択図】図１
0003174542.tif 000002
【実用新案登録請求の範囲】
【請求項１】
エネルギー使用の合理化に関する法律により定められた書式に基づくＡ４サイズの調査結果報告書を含む建築物調査結果報告書用印刷物であって、
表紙部及び裏表紙部と、
前記書式による被調査対象建築物における維持保全状況が所定の判断基準となるべき事項に適合していることを証明する適合書を表示する適合書表示欄と、
前記書式による前記被調査対象建築物の建築物調査結果報告書を表示する建築物調査結果報告書表示欄と、
前記書式による登録された建築物調査機関の登録証を表示する登録証表示欄と、
前記建築物調査結果報告書に関する調査内容を定期報告するための定期報告書を表示する定期報告書表示欄と、
前記調査結果に関連する写真及び調査項目を表示する写真・調査項目表示欄と、
前記被調査対象建築物の設計図面を表示する設計図面表示欄とを備え、
前記適合書表示欄、前記建築物調査結果報告書表示欄、前記登録証表示欄、前記定期報告書表示欄、前記写真・調査項目表示欄及び前記設計図面表示欄は、前記建築物調査結果報告書用印刷物の表紙部側から裏表紙部側にかけてＡ４サイズの一冊の冊子状にまとめた構造からなる
ことを特徴とする建築物調査結果報告書用印刷物。
【請求項２】
前記写真・調査項目表示欄は、前記被調査対象建築物の写真上に前記調査項目と対応する箇所を視認可能に示す文字、数字及び記号の少なくとも一つからなる目印情報を更に表示するように、Ａ４サイズの冊子の一部を構成している
ことを特徴とする請求項１記載の建築物調査結果報告書用印刷物。
【請求項３】
前記表紙部には、前記適合書表示欄、前記建築物調査結果報告書表示欄、前記登録証表示欄、前記定期報告書表示欄、前記写真・調査項目表示欄及び前記設計図面表示欄の前記建築物調査結果報告書用印刷物内における所在頁等の目次情報と、前記被調査対象建築物の物件名を示す物件情報と、前記登録された建築物調査機関の概要を示す建築物調査機関情報とが表示されている
ことを特徴とする請求項１又は２記載の建築物調査結果報告書用印刷物。
【考案の詳細な説明】
【技術分野】
【０００１】
この考案は、エネルギー使用の合理化に関する法律（以下、「省エネ法」と呼ぶ。）の規定により定められた書式に基づく建築物調査結果報告書用印刷物に関する。
【背景技術】
【０００２】
省エネ法においては、第７５条及び第７６条関連の規定により、所定の外壁、窓などの断熱措置及び建築設備の省エネ措置に関する届け出を行った建物所有者は、届け出の３年後に属する年度内に、省エネ措置の維持保全状況に関する内容を、省エネ法により定められた調査結果報告書にまとめて所轄行政庁に定期報告する必要がある。
【０００３】
同様の報告義務としては、例えば建築基準法第１２条第３項において一定の規模要件を満たす建築物等の建築設備について、損傷や腐食その他の劣化の状況の点検を定期的に行うことが義務付けられている。このような建築設備の定期検査の結果を特定行政庁に報告するためには、建築基準法により定められた定期検査報告書を提出する必要がある。
【０００４】
この種の報告書を作成するものとして、例えば構造物用検査装置が知られている（下記特許文献１参照）。この構造物用検査装置は、被検査対象物（構造物）の製図された図面データと、被検査対象物の所望の範囲を分割して撮像された分割画像データとを比較して位置関係を求め、被検査対象物に形成された欠陥の特徴からオブジェクトを作成してこのオブジェクトを表示した報告書に用いる構造物検査報告用のデータを作成する。そして、この構造物検査報告用のデータを用いて報告書を作成する。
【先行技術文献】
【特許文献】
【０００５】
【特許文献１】特開２００４−３１８７９０号公報
【考案の概要】
【考案が解決しようとする課題】
【０００６】
しかしながら、上述した報告書の類は、その種の業務に精通した専門家が見れば調査結果や検査結果により示される調査箇所或いは不具合箇所や欠陥の有無等の内容を直ぐに理解することはできるが、特に省エネ法第７５条及び第７６条関連の規定による調査結果報告書のようなものでは、依然として一般的には調査結果の内容は把握し難いものが多いという問題がある。
【０００７】
この考案は、上記事情に鑑みてなされたもので、省エネ法第７５条及び第７６条関連の規定による所定の書式に則りつつも、被調査対象建築物の調査結果の内容を一般的にも容易に把握させることができる建築物調査結果報告書用印刷物を提供することを目的とする。
【課題を解決するための手段】
【０００８】
本考案の一態様に係る建築物調査結果報告書用印刷物は、エネルギー使用の合理化に関する法律により定められた書式に基づくＡ４サイズの調査結果報告書を含む建築物調査結果報告書用印刷物であって、表紙部及び裏表紙部と、前記書式による被調査対象建築物における維持保全状況が所定の判断基準となるべき事項に適合していることを証明する適合書を表示する適合書表示欄と、前記書式による前記被調査対象建築物の建築物調査結果報告書を表示する建築物調査結果報告書表示欄と、前記書式による登録された建築物調査機関の登録証を表示する登録証表示欄と、前記建築物調査結果報告書に関する調査内容を定期報告するための定期報告書を表示する定期報告書表示欄と、前記調査結果に関連する写真及び調査項目を表示する写真・調査項目表示欄と、前記被調査対象建築物の設計図面を表示する設計図面表示欄とを備え、前記適合書表示欄、前記建築物調査結果報告書表示欄、前記登録証表示欄、前記定期報告書表示欄、前記写真・調査項目表示欄及び前記設計図面表示欄は、前記建築物調査結果報告書用印刷物の表紙部側から裏表紙部側にかけてＡ４サイズの一冊の冊子状にまとめた構造からなることを特徴とする。
【０００９】
前記写真・調査項目表示欄は、例えば前記被調査対象建築物の写真上に前記調査項目と対応する箇所を視認可能に示す文字、数字及び記号の少なくとも一つからなる目印情報を更に表示するように、Ａ４サイズの冊子の一部を構成している。
【００１０】
なお、例えば前記表紙部には、前記適合書表示欄、前記建築物調査結果報告書表示欄、前記登録証表示欄、前記定期報告書表示欄、前記写真・調査項目表示欄及び前記設計図面表示欄の該当ページを示す目次情報と、前記被調査対象建築物の物件名を示す物件情報と、前記登録された建築物調査機関の概要を示す建築物調査機関情報とが表示されている。
【考案の効果】
【００１１】
本考案によれば、省エネ法第７５条及び第７６条関連の規定による所定の書式に則りつつも、被調査対象建築物の調査結果の内容を一般的にも容易に把握させることができる建築物調査結果報告書用印刷物を提供することができる。
【図面の簡単な説明】
【００１２】
【図１】本考案の一実施形態に係る建築物調査結果報告書用印刷物の構成を示す図である。
【図２】同建築設備定期検査報告書用印刷物の写真・調査項目表示欄における写真及び調査項目の表示例を示す図である。
【考案を実施するための形態】
【００１３】
以下に、添付の図面を参照して、この考案に係る建築物調査結果報告書用印刷物の実施の形態を詳細に説明する。
【００１４】
図１は、本考案の一実施形態に係る建築物調査結果報告書用印刷物の構成を示す図である。図１（ａ）に示すように、建築物調査結果報告書用印刷物（以下、単に「印刷物」と呼ぶ。）１００は、省エネ法第７５条及び第７６条関連に規定されている被調査対象建築物（例えば、ビル等）の所定の外壁、窓などの断熱措置及び建築設備（例えば、照明設備や空調設備等）の省エネ措置に関し、省エネ措置の維持保全状況に関する内容を調査した調査結果を報告するために、同法第７６条第３項により定められ、第５条関係の様式第２により規定されているＡ４用紙サイズの建築物調査結果報告書を表示するための建築物調査結果報告書表示欄を備える。
【００１５】
また、印刷物１００は、同法第７６条第２項の規定による被調査対象建築物における維持保全状況が、同法第７３条第１項に規定する所定の判断基準となるべき事項に適合していることを証明する、第４条関係の様式第１により定められている適合書を表示する適合書表示欄を備える。
【００１６】
更に、印刷物１００は、同法第７６条第１項の規定により登録された建築物調査機関の登録証を表示する登録証表示欄と、建築物調査結果報告書に関する調査内容を定期報告するための定期報告書を表示する定期報告書表示欄とを備える。また、印刷物１００は、調査結果に関連する写真及び調査項目を表示する写真・調査項目表示欄と、被調査対象建築物の設計図面を表示する設計図面表示欄とを備える。
【００１７】
そして、印刷物１００は、これら適合書表示欄、建築物調査結果報告書表示欄、登録証表示欄、定期報告書表示欄、写真・調査項目表示欄及び設計図面表示欄をファイルホルダなどにいわゆる平綴じなどの方法により、例えばＡ４サイズの一冊の冊子状にまとめた構造からなる。このため、印刷物１００は、通常の本の構造と同じく背部１０１や表紙部１１０、裏表紙部１１１などを有して構成されている。
【００１８】
図１（ｂ）に示すように、印刷物１００の表紙部１１０には、被調査対象建築物の物件名（名称等）の物件情報を示す対象物件名表示欄１０２と、調査を実施した実施者の名称等の情報を含む登録された建築物調査機関の概要を表す建築物調査機関情報示す調査実施者名表示欄１０３とが設けられている。
【００１９】
また、印刷物１００の表紙部１１０には、適合書表示欄、建築物調査結果報告書表示欄、登録証表示欄、定期報告書表示欄、写真・調査項目表示欄及び設計図面表示欄の印刷物１００内における所在頁等の目次情報を示す内容表示欄１０４とが設けられている。
【００２０】
なお、対象物件名表示欄１０２は表紙部１１０における天部の近傍の中央位置に設けられ、調査実施者名表示欄１０３は表紙部１１０における地部の近傍の中央位置に設けられている。また、内容表示欄１０４は、対象物件名表示欄１０２と調査実施者名表示欄１０３との間の表紙部１１０における中央位置に設けられている。
【００２１】
ここで、適合書表示欄、建築物調査結果報告書表示欄、登録証表示欄、定期報告書表示欄に表示される適合書、建築物調査結果報告書、登録証及び定期報告書は、上記省エネ法第７５条及び第７６条の規定により、上記のような所定の様式によってその書式、記載項目及び記載内容が定められたものであるため、ここではその説明は省略する。
【００２２】
なお、建築物調査結果報告書には、例えば被調査対象建築物の名称、所在地、建築物調査を申請した者、同法第７６条第２項の書面を交付した年月日及び調査員氏名を示す情報が記載される。また、建築物調査結果報告書には、被調査対象建築物及びその敷地の概要を表にして示す建築物概要表、被調査対象建築物の維持保全の状況等の内容を表にして示す維持保全状況表等が含まれる。
【００２３】
一方、写真・調査項目表示欄に表示される被調査対象建築物の写真や調査項目は、例えば次のように記載される。図２は、印刷物の写真・調査項目表示欄における写真及び調査項目の表示例を示す図である。図２に示すように、写真・調査項目表示欄には、被調査対象建築物の外壁や窓等、室内、屋上、空調設備、空調設備以外の機械換気設備、照明設備、昇降機及びその他の部分写真や全景写真などが表示されると共に、調査結果に表された維持保全状況を示す写真等が、例えばその状況を説明する文字情報等の他の情報と併せて表示される。
【００２４】
また、写真・調査項目表示欄には、被調査対象建築物の写真上に調査項目と対応する箇所を視認可能に示す文字、数字及び記号の少なくとも一つからなる目印情報が表示される。図２に示すように、写真・調査項目表示欄２００には、例えば調査結果における調査項目に対応する被調査対象建築物の調査箇所の維持保全状況を写した写真表示領域２０１と、この写真表示領域２０１に表示された写真により表される被調査対象建築物の調査箇所を示す調査箇所表示欄２０２と、調査項目の内容や特筆すべき特記事項などの詳細情報を示す詳細情報表示欄２０３とが設けられている。
【００２５】
なお、写真表示領域２０１内に付加された目印情報２０４は、詳細情報表示欄２０３に記載された調査項目における調査箇所を容易に視認可能とするように設けられている。このように、写真・調査項目表示欄２００を設けることで、上述した建築物調査結果報告書表示欄に表示された被調査対象建築物の維持保全の状況等の内容を示す維持保全状況表に記載された調査結果の内容を、容易に把握させることが可能となる。
【００２６】
また、設計図面表示欄には、設計概要書、仕上表、面積表、各階平面図、建具表、各階建具配置図、東西南北立面図、断面図、矩形図、空調設備特記仕様書、空調設備系統図、機械換気特記仕様書、機械換気系統図、照明設備配置図、照明器具姿図、給湯設備特記仕様書、給湯設備系統図、昇降機設備特記仕様書、昇降機設備図、その他設備特記仕様書、その他設備図等の図面が表示される。
【００２７】
以上述べたように、本実施形態に係る建築物調査結果報告書用印刷物１００によれば、省エネ法の規定による所定の書式に則りつつも、専門家以外の一般人にも被調査対象建築物の調査結果の内容を容易に把握させることが可能となる。
【符号の説明】
【００２８】
１００          建築物調査結果報告書用印刷物
１０１          背部
１０２          対象物件名表示欄
１０３          調査実施者名表示欄
１０４          内容表示欄
１１０          表紙部
１１１          裏表紙部
２００          写真・調査項目表示欄
２０１          写真表示領域
２０２          調査箇所表示欄
２０３          詳細情報表示欄
【図１】
0003174542.tif 000003
【図２】
0003174542.tif 000004
【手続補正書】
【提出日】平成24年1月23日(2012.1.23)
【手続補正１】
【補正対象書類名】実用新案登録請求の範囲
【補正対象項目名】全文
【補正方法】変更
【補正の内容】
【実用新案登録請求の範囲】
【請求項１】
エネルギー使用の合理化に関する法律により定められた書式に基づくＡ４サイズの調査結果報告書を含む建築物調査結果報告書用冊子であって、
表紙部及び裏表紙部を含む複数の印刷物からなり、前記印刷物は、
前記書式による被調査対象建築物における維持保全状況が所定の判断基準となるべき事項に適合していることを証明する適合書を表示する適合書表示欄と、
前記書式による前記被調査対象建築物の建築物調査結果報告書を表示する建築物調査結果報告書表示欄と、
前記書式による登録された建築物調査機関の登録証を表示する登録証表示欄と、
前記建築物調査結果報告書に関する調査内容を定期報告するための定期報告書を表示する定期報告書表示欄と、
前記調査結果に関連する写真及び調査項目を表示する写真・調査項目表示欄と、
前記被調査対象建築物の設計図面を表示する設計図面表示欄とを備え、
前記適合書表示欄、前記建築物調査結果報告書表示欄、前記登録証表示欄、前記定期報告書表示欄、前記写真・調査項目表示欄及び前記設計図面表示欄を有する前記印刷物は、前記表紙部側から裏表紙部側にかけてＡ４サイズの一冊の冊子状にまとめた構造からなり、
前記写真・調査項目表示欄は、前記被調査対象建築物の写真上に前記調査項目と対応する箇所を視認可能に示す文字、数字及び記号の少なくとも一つからなる目印情報を更に表示するように、Ａ４サイズの冊子の一部を構成しており、
前記表紙部には、前記適合書表示欄、前記建築物調査結果報告書表示欄、前記登録証表示欄、前記定期報告書表示欄、前記写真・調査項目表示欄及び前記設計図面表示欄の前記建築物調査結果報告書用冊子内における所在頁等の目次情報と、前記被調査対象建築物の物件名を示す物件情報と、前記登録された建築物調査機関の概要を示す建築物調査機関情報とが表示されている
ことを特徴とする建築物調査結果報告書用冊子。
【手続補正３】
【補正対象書類名】明細書
【補正対象項目名】０００８
【補正方法】変更
【補正の内容】
【０００８】
本考案の一態様に係る建築物調査結果報告書用冊子は、エネルギー使用の合理化に関する法律により定められた書式に基づくＡ４サイズの調査結果報告書を含む建築物調査結果報告書用冊子であって、表紙部及び裏表紙部を含む複数の印刷物からなり、前記印刷物は、前記書式による被調査対象建築物における維持保全状況が所定の判断基準となるべき事項に適合していることを証明する適合書を表示する適合書表示欄と、前記書式による前記被調査対象建築物の建築物調査結果報告書を表示する建築物調査結果報告書表示欄と、前記書式による登録された建築物調査機関の登録証を表示する登録証表示欄と、前記建築物調査結果報告書に関する調査内容を定期報告するための定期報告書を表示する定期報告書表示欄と、前記調査結果に関連する写真及び調査項目を表示する写真・調査項目表示欄と、前記被調査対象建築物の設計図面を表示する設計図面表示欄とを備え、前記適合書表示欄、前記建築物調査結果報告書表示欄、前記登録証表示欄、前記定期報告書表示欄、前記写真・調査項目表示欄及び前記設計図面表示欄を有する前記印刷物は、前記表紙部側から裏表紙部側にかけてＡ４サイズの一冊の冊子状にまとめた構造からなり、前記写真・調査項目表示欄は、前記被調査対象建築物の写真上に前記調査項目と対応する箇所を視認可能に示す文字、数字及び記号の少なくとも一つからなる目印情報を更に表示するように、Ａ４サイズの冊子の一部を構成しており、前記表紙部には、前記適合書表示欄、前記建築物調査結果報告書表示欄、前記登録証表示欄、前記定期報告書表示欄、前記写真・調査項目表示欄及び前記設計図面表示欄の前記建築物調査結果報告書用冊子内における所在頁等の目次情報と、前記被調査対象建築物の物件名を示す物件情報と、前記登録された建築物調査機関の概要を示す建築物調査機関情報とが表示されていることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】